(57)【要約】【課題】本発明は移動通信端末機、これを利用した送信側リンク管理方法及び受信側リンク管理方法を提供する。【解決手段】本発明の移動通信端末機は、メッセージを表示する表示部１０６と、表示部１０６に表示されたメッセージに含まれたリンク設定可能なデータにリンクを設定すると共に、その設定したリンク先への接続を可能にする所定の記号を対応させて付与するリンク管理部１０４と、リンク管理部１０４が付与した記号を含むメッセージを送信する送信部１１２と、メッセージを受信する受信部１０２と、表示部１０６に表示されたメッセージに含まれる記号のうち何れか１つを選択する入力部１０８と、入力部１０８によって選択された記号に対応するデータに設定されたリンク先に接続する制御部１１４と、所定の記号の情報などを格納する格納部１１０と、を含んで構成される。【選択図】図１
2007124666.tif 000002
【特許請求の範囲】
【請求項１】
作成したメッセージに含まれたリンク設定可能なデータにリンクを設定すると共に、その設定したリンク先への接続を受信側において可能にする所定の記号を付与し、
前記リンクが設定され、前記所定の記号が付与されたメッセージを送信することを特徴とする移動通信端末機。
【請求項２】
前記リンクを設定したデータは、少なくとも、電話番号、電子メールアドレスまたはＵＲＬのうち何れか１つであることを特徴とする請求項１記載の移動通信端末機。
【請求項３】
前記記号は、少なくとも、文字、数字、または、文字及び数字の組合せのうち何れか１つであることを特徴とする請求項１記載の移動通信端末機。
【請求項４】
前記記号は、前記メッセージ中使用者が設定した位置に配置されることを特徴とする請求項１記載の移動通信端末機。
【請求項５】
前記メッセージは、少なくとも、ＳＭＳ、ＭＭＳまたはＥＭＳのうち何れか１つを利用したものであることを特徴とする請求項１記載の移動通信端末機。
【請求項６】
前記メッセージは任意のアプリケーションで生成された文書を含むことを特徴とする請求項１記載の移動通信端末機。
【請求項７】
使用者により、前記リンク設定可能なデータに前記リンクが設定されると共に、リンクが設定されたデータに対応させて前記記号が付与されることを特徴とする請求項１記載の移動通信端末機。
【請求項８】
使用者が前記記号を付与するための所定のポップアップウィンドウを表示することを特徴とする請求項７記載の移動通信端末機。
【請求項９】
受信したメッセージにリンク設定可能なデータがあると、そのデータにリンクを設定すると共に、その設定したリンク先への接続を可能にする所定の記号を付与し、
前記リンクが設定され、前記所定の記号が付与されたメッセージを表示し、
前記メッセージを表示させた状態で前記所定の記号のうち何れか１つが選択されると、その選択された記号に対応するデータに設定されたリンク先に接続することを特徴とする移動通信端末機。
【請求項１０】
前記リンクが設定されたデータは、少なくとも、電話番号、電子メールアドレスまたはＵＲＬのうち何れか１つであることを特徴とする請求項９記載の移動通信端末機。
【請求項１１】
使用者により、前記リンク設定可能なデータに前記リンクが任意に設定され、リンクを設定したデータに対応させて前記記号が任意に付与されることを特徴とする請求項９記載の移動通信端末機。
【請求項１２】
前記受信したメッセージに、予め前記リンクが設定され、前記記号が付与されているときには、その受信したメッセージをそのまま表示することを特徴とする請求項９記載の移動通信端末機。
【請求項１３】
使用者が前記記号を付与するための所定のポップアップウィンドウを表示することを特徴とする請求項１１記載の移動通信端末機。
【請求項１４】
前記記号は、少なくとも、文字、数字、または、文字及び数字の組合せのうち何れか１つであることを特徴とする請求項９記載の移動通信端末機。
【請求項１５】
前記記号は、前記メッセージ中使用者が設定した位置に配置されることを特徴とする請求項９記載の移動通信端末機。
【請求項１６】
前記メッセージは、少なくとも、ＳＭＳ、ＭＭＳまたはＥＭＳのうち何れか１つを利用したものであることを特徴とする請求項９記載の移動通信端末機。
【請求項１７】
前記メッセージは任意のアプリケーションで生成された文書を含むことを特徴とする請求項９記載の移動通信端末機。
【請求項１８】
作成したメッセージに含まれたリンク設定可能なデータにリンクを設定すると共に、その設定したリンク先への接続を受信側において可能にする所定の記号を対応させて付与し、
前記リンクが設定され、前記所定の記号が付与された前記メッセージを送信することを特徴とする送信側リンク管理方法。
【請求項１９】
前記リンクを設定したデータは、少なくとも、電話番号、電子メールアドレスまたはＵＲＬのうち何れか１つであることを特徴とする請求項１８記載の送信側リンク管理方法。
【請求項２０】
前記記号は、少なくとも、文字、数字、または、文字及び数字の組合せのうち何れか１つであることを特徴とする請求項１８記載の送信側リンク管理方法。
【請求項２１】
前記メッセージは、少なくとも、ＳＭＳ、ＭＭＳまたはＥＭＳのうち何れか１つであることを特徴とする請求項１８記載の送信側リンク管理方法。
【請求項２２】
前記メッセージは任意のアプリケーションで生成された文書を含むことを特徴とする請求項１８記載の送信側リンク管理方法。
【請求項２３】
使用者により、前記リンク設定可能なデータに前記リンクが任意に設定され、リンクを設定したデータに対応させて前記記号が任意に付与されることを特徴とする請求項１８記載の送信側リンク管理方法。
【請求項２４】
使用者が前記記号を付与するための所定のポップアップウィンドウが表示されることを特徴とする請求項２３記載の送信側リンク管理方法。
【請求項２５】
受信したメッセージにリンク設定可能なデータがあると、そのデータにリンクを設定すると共に、その設定したリンク先への接続を可能にする所定の記号を対応させて付与し、
前記リンクが設定され、前記所定の記号が付与されたメッセージを表示し、
前記メッセージを表示させた状態で前記所定の記号のうち何れか１つが選択されると、その選択された記号に対応するデータに設定されたリンク先に接続することを特徴とする受信側リンク管理方法。
【請求項２６】
前記リンクが設定されたデータは、少なくとも、電話番号、電子メールアドレスまたはＵＲＬのうち何れか１つであることを特徴とする請求項２５記載の受信側リンク管理方法。
【請求項２７】
使用者により、前記リンク設定可能なデータに前記リンクが任意に設定され、リンクを設定したデータに対応させて前記記号が任意に付与されることを特徴とする請求項２５記載の受信側リンク管理方法。
【請求項２８】
前記受信したメッセージに、予め前記リンクが設定され、前記記号が付与されているときには、その受信したメッセージをそのまま表示することを特徴とする請求項２５記載の受信側リンク管理方法。
【発明の詳細な説明】
【技術分野】
【０００１】
本発明は移動通信端末機のメッセージに含まれたリンクの管理方法に関する。
【背景技術】
【０００２】
近来では移動通信端末機の需要が急速に増加しており、多様なサービスと便利な機能が含まれた移動通信端末機が提供されている。
【０００３】
このように提供される多様な機能の１つが、ＳＭＳ（Ｓｈｏｒｔ Ｍｅｓｓａｇｅ Ｓｅｒｖｉｃｅ）、ＭＭＳ（Ｍｕｌｔｉｍｅｄｉａ Ｍｅｓｓａｇｅ Ｓｅｒｖｉｃｅ） 及び ＥＭＳ（Ｅｎｈａｎｃｅｄ  Ｍｅｓｓａｇｉｎｇ Ｓｅｒｖｉｃｅ）などのようなメッセージを送受信する機能である。
【０００４】
使用者はこれらを利用したメッセージに含まれたＵＲＬ（Ｕｎｉｆｏｒｍ Ｒｅｓｏｕｒｃｅ Ｌｏｃａｔｏｒ）などのリンクを選択して対応するリンク先に接続することができる。
【０００５】
ここで、ＵＲＬとはインターネット上で多様なサービスを提供する多くのサーバー（例えば、ＨＴＴＰ、ＦＴＰ、ユーズネットニュース、ｅ−ｍａｉｌ、ゴーパー（ｇｏｐｈｅｒ）及びテレネット（ｔｅｌｎｅｔ）などのサービスを提供するサーバー）から必要な情報を取得するためにこれらの位置を示すものである。
【０００６】
この時、ＵＲＬは一般的にプロトコル名://ドメイン名/経路名/ファイル名形式（例えば、 ｈｔｔｐ://ｗｗｗ．ｌｇｅ．ｃｏｍ などのような名前形式）でサポートされ、特定ＵＲＬを選択すれば対応するアドレスに接続するハイパーリンク（ｈｙｐｅｒｌｉｎｋ）機能が提供される。
【０００７】
このようなＵＲＬが表示された移動通信端末機の画面上でこれを選択するためには、一般的に、上（ｕｐ）、下（ｄｏｗｎ）キーを押してカーソル又は選択バー（Ｂａｒ）を移動させ、特定ＵＲＬを選択した後、接続ボタンを押してＵＲＬの該当のアドレスに接続する。
【発明の開示】
【発明が解決しようとする課題】
【０００８】
しかし、かかるＵＲＬの選択方法においては、メッセージにいくつかのＵＲＬが設定された状態で、使用者が希望するＵＲＬのアドレスに接続するためには、まずそのＵＲＬを選択するべく、上（ｕｐ）、下（ｄｏｗｎ）キーを何回も押してカーソル又は選択バー（Ｂａｒ）を移動させなければならなかった。このため、例えば使用者が接続したいＵＲＬが画面の下のほうに存在する場合などには、ＵＲＬを選択するのに長い時間を要するという問題点があった。
【０００９】
また、ＵＲＬだけではなく、全ての種類のリンク（例えば、電話番号や電子メールアドレスなど、選択されるとそれに対応するプログラムを実行し、対応する接続先に接続することを可能にするもの）を選択する場合において、同様に長い時間を要するという問題点があった。そして、このような操作及びそれに伴う遅延は、使用者にとって不便であり、 移動端末機の使用を複雑にさせ、また、その使用を制限させていた。
【００１０】
このような問題点を解決するため、本発明の目的は、メッセージに含まれる、リンクを設定した各データに対応するように所定の記号を付与することで、リンクを設定した各データのリンク先に容易に接続することができる移動通信端末機及びリンク選択方法を提供することにある。
【課題を解決するための手段】
【００１１】
本発明の移動通信端末機は、作成したメッセージに含まれたリンク設定可能なデータにリンクを設定すると共に、その設定したリンク先への接続を受信側において可能にする所定の記号を付与し、前記リンクが設定され、前記所定の記号が付与されたメッセージを送信する。
【００１２】
この時、リンクを設定するデータは、少なくとも、電話番号、電子メールアドレスまたはＵＲＬ（Ｕｎｉｆｏｒｍ Ｒｅｓｏｕｒｃｅ Ｌｏｃａｔｏｒ）のうち何れか１つである。
【００１３】
また、リンクを設定したデータに対応するように記号を任意に付与することができる。
【００１４】
ここで、メッセージは、ＳＭＳ（Ｓｈｏｒｔ Ｍｅｓｓａｇｅ Ｓｅｒｖｉｃｅ）、ＭＭＳ（Ｍｕｌｔｉｍｅｄｉａ Ｍｅｓｓａｇｅ Ｓｅｒｖｉｃｅ）またはＥＭＳ（Ｅｎｈａｎｃｅｄ Ｍｅｓｓａｇｉｎｇ Ｓｅｒｖｉｃｅ）のうちいずれか１つを利用したメッセージである。
【００１５】
また、使用者がデータにリンクを設定し、記号を付与するための入力部をさらに含むことができる。
【００１６】
さらに、本願発明の移動通信端末機は、受信したメッセージにリンク設定可能なデータがあると、そのデータにリンクを設定すると共に、その設定したリンク先への接続を可能にする所定の記号を付与し、前記リンクが設定され、前記所定の記号が付与されたメッセージを表示し、前記メッセージを表示させた状態で前記所定の記号のうち何れか１つが選択されると、その選択された記号に対応するデータに設定されたリンク先に接続することを特徴とする。なお、受信したメッセージにリンクのみが設定され、記号が設定されていないときには、記号のみが付与される。
【００１７】
この時、使用者により、前記リンク設定可能なデータに前記リンクが任意に設定され、リンクを設定したデータに対応させて前記記号が任意に付与されることができる。なお、受信したメッセージにリンクのみが設定され、記号が設定されていないときには、使用者により記号のみが任意に付与される。
【００１８】
また、受信したメッセージに予め前記リンクが設定され、前記記号が付与されているときには、受信したメッセージをそのまま表示する。
【００１９】
さらに、本願発明に係る送信側リンク管理方法は、作成したメッセージに含まれたリンク設定可能なデータにリンクを設定すると共に、その設定したリンク先への接続を受信側において可能にする所定の記号を付与し、前記付与した記号を含む前記メッセージを送信する。
【００２０】
ここで、使用者により、前記リンク設定可能なデータに前記リンクが任意に設定され、リンクを設定した各データに対応させて前記記号が任意に付与されることができる。
【００２１】
また、本願発明に係る受信側リンク管理方法は、受信したメッセージにリンク設定可能なデータがあると、そのデータにリンクを設定すると共に、その設定したリンク先への接続を可能にする所定の記号を付与し、前記リンクが設定され、前記所定の記号が付与されたメッセージを表示し、前記メッセージを表示させた状態で前記所定の記号のうち何れか１つが選択されると、その選択された記号に対応するデータに設定されたリンク先に接続する。なお、受信したメッセージにリンクのみが設定され、記号が設定されていないときには、記号のみが付与される。
【００２２】
ここで、使用者により、前記リンク設定可能なデータに前記リンクが任意に設定され、リンクを設定した各データに対応させて前記記号が任意に付与されることができる。なお、受信したメッセージにリンクのみが設定され、記号が設定されていないときには、使用者により記号のみが任意に付与される。
【００２３】
また、受信したメッセージに、予め前記記号が付与されているときには、その受信したメッセージをそのまま表示する。
【発明の効果】
【００２４】
本発明は、リンクが設定されたデータに対応するように所定の記号を付与することで、リンクが設定された各データを迅速且つ容易に選択することが可能になり、希望するリンク先へ短時間で接続することができる効果がある。
【発明を実施するための最良の形態】
【００２５】
以下では本発明による具体的な実施形態を添付された図面を参照して説明する。
【００２６】
図１は本発明の１つの実施形態による移動通信端末機の構成を示す構成図である。
【００２７】
図１に示すように、本発明の１つの実施形態による移動通信端末機は、受信部１０２、 リンク管理部１０４、表示部１０６、入力部１０８、格納部１１０、送信部１１２及び制御部１１４を含んで構成される。なお、移動通信端末機のすべての構成要素は連係して動作する。
【００２８】
先ず、受信部１０２は、アンテナ（ＡＮＴ）を通じて基地局からＳＭＳ（Ｓｈｏｒｔ Ｍｅｓｓａｇｅ Ｓｅｒｖｉｃｅ）、ＭＭＳ（Ｍｕｌｔｉｍｅｄｉａ Ｍｅｓｓａｇｅ Ｓｅｒｖｉｃｅ） またはＥＭＳ（Ｅｎｈａｎｃｅｄ Ｍｅｓｓａｇｉｎｇ Ｓｅｒｖｉｃｅ）のいずれか１つを利用したメッセージを受信する。
【００２９】
リンク管理部１０４は受信部１０２から受信したメッセージに含まれる、リンク設定可能なデータにリンクを設定すると共に、その設定したリンク先への接続を可能にする所定の記号を付与する。
【００３０】
表示部１０６はリンク管理部１０４が付与した記号を含むメッセージを画面に表示する。
【００３１】
入力部１０８は音声認識部、ボタン部またはタッチスクリーンのうち少なくとも何れか１つを備える。そして、使用者が表示部１０６の画面に表示されたメッセージから、リンクが設定された各データに付与された記号を選択すれば、これに相当するキー入力信号を生成して制御部１０５に出力する。また、使用者が入力部１０８を利用して、リンクが設定されたデータに対応するように記号を入力すれば、これに相当するキー入力信号を生成して制御部１０５に出力する。
【００３２】
格納部１１０はフラッシュメモリ、ラム（ＲＡＭ）、ＥＥＰＲＯＭ（ｅｌｅｃｔｒｉｃａｌｌｙ ｅｒａｓａｂｌｅ  ｐｒｏｇｒａｍｍａｂｌｅ  ｒｅａｄ  ｏｎｌｙ  ｍｅｍｏｒｙ）などで構成される。このような格納部１１０には使用者が入力部１０８を通じて入力した各種情報が格納される。また、受信部１０２から受信されたメッセージ及びメッセージに含まれた１つ以上のリンク設定可能なデータに対応するように付与した所定の記号などの情報が格納される。
【００３３】
送信部１１２は記号が付与されたデータを含むメッセージを、アンテナ（ＡＮＴ）を通じて送信する。また、入力部１０８から、リンクを設定したデータに付与された記号が選択されると、その記号に対応するデータに設定されたリンク先に接続する。すなわち移動通信端末機は選択された記号に対応したデータのリンクを活性化し、電話接続、ウェブサイト接続、電子メール作成（接続）などを可能にする。
【００３４】
制御部１１４は移動通信端末機の一般的な動作を制御して、リンク管理部１０４または入力部１０８を通じて記号が付与されたデータを含むメッセージを、送信部１１２を通じて送信されるように制御する。また、入力部１０８から、リンクを設定した各データに付与された記号が選択されると、その記号に対応するデータに設定されたリンク先に接続するように送信部１１２を制御する。
【００３５】
このように構成される本発明の１つの実施形態による送信側リンク管理方法及び受信側リンク管理方法の例を図１から図９に示す。この管理方法は、図１の移動通信端末機に例示されるような装置を使って具現化される。
<送信側リンク管理方法>
【００３６】
図２は本発明の１つの実施形態による送信側リンク管理方法を順に示すフローチャートで、図３は本発明の１つの実施形態においてメッセージに含まれるリンク設定可能なデータにリンクが設定されたことを示す状態図である。
【００３７】
図２に示すように、本発明の１つの実施形態による送信側リンク管理方法は、（ａ）メッセージに含まれたリンク設定可能な１つ以上のデータを特定して、そのデータにリンクを設定し、リンクを設定したデータに対応するように所定の記号を付与する段階（Ｓ２０２〜Ｓ２０４）、（ｂ）記号を含むメッセージを表示する段階（Ｓ２０６）及び（ｃ）記号を含むメッセージを、受信側の移動通信端末機に送信する段階（Ｓ２０８）を含む。
【００３８】
例えば、リンク管理部１０４は図３のようにＳＭＳを利用したショートメッセージに含まれた１つ以上のリンク設定可能なデータにリンクを設定する。この時、リンク管理部１０４はショートメッセージに含まれた特定データである電話番号、電子メールアドレスまたはＵＲＬ（Ｕｎｉｆｏｒｍ Ｒｅｓｏｕｒｃｅ Ｌｏｃａｔｏｒ）をリンク設定可能なデータとして特定し、これらのデータにリンクを設定する。
この時、ＵＲＬは、ＩＰ（Ｉｎｔｅｒｎｅｔ Ｐｒｏｔｏｃｏｌ）などのように数字、ドメインネームで表示するなど、すべての形式を含む。また、他の種類のデータがそのリンクを設定するために指定されることもできる。
【００３９】
具体的には、リンク管理部１０４は表示部１０６に表示されたショートメッセージにおいて、電話番号である"０１０−１２３４−５６７８"、ＵＲＬである"ｗｗｗ．ｌｇｅ．ｃｏｍ"及び電子メールアドレスである"ｃｈｕｌ@ｌｇｅ．ｃｏｍ"のようなデータをリンク設定可能なデータとして特定し、これらのデータにリンクを設定する。
【００４０】
ここでリンクとは一般的に、選択されると、それに対応したプログラムを実行し、適切な情報を表示したり、対応する接続先（リンク先）に接続したりすることを可能にするべく、二つのプログラムを結合するものである。例えば、電話番号である"０１０−１２３４−５６７８"へのリンクを選択すると、通話接続プログラムを起動し、この電話番号にダイヤルする。このようにリンクが設定されたデータは、一般的に下線または他の表示が表示されるが、これに限定されるものではなく、使用者がその表示形式を任意に設定することも可能である。
【００４１】
このようにリンクを設定した後、リンク管理部１０４はリンクを設定した各データに対応するように記号を付与する。この例を図４に示す。
【００４２】
図４は本発明の１つの実施形態において記号が付与された画面を示す状態図である。
【００４３】
図４に示すように、リンク管理部１０４は、電話番号である"０１０−１２３４−５６７８"、ＵＲＬである"ｗｗｗ．ｌｇｅ．ｃｏｍ"及び電子メールアドレスである"ｃｈｕｌ@ｌｇｅ．ｃｏｍ"のようなリンクデータに各々対応するように記号を付与する。
【００４４】
ここで、記号は文字、数字または文字と数字の組合せのうち何れか１つであり、リンク設定可能なデータは、電話番号、電子メールアドレスまたはＵＲＬ（Ｕｎｉｆｏｒｍ Ｒｅｓｏｕｒｃｅ Ｌｏｃａｔｏｒ）のうち少なくとも何れか１つを言う。
【００４５】
例えば、リンク管理部１０４は、図４（ａ）のように、リンクを設定した各データに対応するように数字を付与し、これを各データの前に配置する。
【００４６】
数字を付与する具体例としては、電話番号である"０１０−１２３４−５６７８"に数字１を付与し、ＵＲＬである"ｗｗｗ．ｌｇｅ．ｃｏｍ" に数字２を付与し、電子メールアドレスである"ｃｈｕｌ@ｌｇｅ．ｃｏｍ"に数字３を順に付与すると共に、これらの数字を、リンクを設定した各データの前に配置する。
【００４７】
また、リンク管理部１０４は、図４（ｂ）のように、リンクを設定した各データに対応するようにカナを順に付与することもできる。
【００４８】
例えば、電話番号である"０１０−１２３４−５６７８"に文字イを付与し、ＵＲＬである"ｗｗｗ．ｌｇｅ．ｃｏｍ"に文字ロを付与し、電子メールアドレスである"ｃｈｕｌ@ｌｇｅ．ｃｏｍ"に文字ハを順に付与すると共に、リンクを設定した各データの前に配置する。
【００４９】
さらに、図４（ｃ）のように、アルファベットを順に付与することも可能である。
【００５０】
例えば、電話番号である"０１０−１２３４−５６７８"に文字ａを付与し、ＵＲＬである"ｗｗｗ．ｌｇｅ．ｃｏｍ"に文字ｂを付与し、電子メールアドレスである"ｃｈｕｌ@ｌｇｅ．ｃｏｍ"に文字ｃを順に付与すると共に、これらの文字をリンクを設定した各データの前に配置する。
【００５１】
なお、ここでは、リンク管理部１０４がリンクを設定した各データに対応するように記号を順に付与して、これを各データの前に配置することについてだけ説明したが、これとは異なり、図５に示すように各記号を他の位置に配置することもできる。
【００５２】
図５は本発明の他の実施形態において記号が付与された画面を示す状態図である。
【００５３】
図５に示すように、リンク管理部１０４がリンクを設定した各データに対応するように記号を順に付与した後、これを各データの後に配置することもできる。
【００５４】
すなわち、図５（ａ）のように、数字を付与した場合、対応する数字を、各々電話番号である "０１０−１２３４−５６７８"、ＵＲＬである"ｗｗｗ．ｌｇｅ．ｃｏｍ"、電子メールアドレスである "ｃｈｕｌ@ｌｇｅ．ｃｏｍ"の後に配置する。
【００５５】
また、図５（ｂ）のように、カナを付与した場合、対応するカナを、各々電話番号である"０１０−１２３４−５６７８"、ＵＲＬである"ｗｗｗ．ｌｇｅ．ｃｏｍ"、電子メールアドレスである"ｃｈｕｌ@ｌｇｅ．ｃｏｍ"の後に配置する。
【００５６】
これと共に、図５（ｃ）のようにアルファベットを付与した場合にも同様に、リンクを設定した各データの後に配置することが可能である。
【００５７】
このように、リンク管理部１０４が付与する記号は、リンクを設定した各データを容易に認識することができるように配置することが望ましく、これは使用者の設定によって決まる。すなわち、使用者はメッセージ中の記号の位置を任意に決めることができ、これはリンク管理部１０４によって具現化される。
【００５８】
リンク管理部１０４は自動的にリンク設定可能なデータにリンクを設定し、記号を付与することができる。また、使用者が入力部１０８を利用して各リンクデータに付与する記号を入力し、リンク管理部１０４が使用者によって入力された記号をリンクを設定した各データに付与することができる。
ここで、使用者がリンクが設定された各データに記号を付与するときに、付与する記号を任意に入力するための所定のポップアップウィンドウが提供され、使用者により入力された記号を付与することができるようにしても良い。このようなポップアップウィンドウを提供する例を図６に示す。
【００５９】
図６は本発明の１つの実施形態においてポップアップウィンドウが提供された画面を示す状態図である。
【００６０】
図６に示すように、使用者が、リンクが設定された各データに付与する記号を任意に入力したい場合に、使用者が「記号」と表示されたメニュー５を選択すれば、所定のポップアップウィンドウ１０が表示される。
【００６１】
そして、使用者は入力部１０８を利用して該当のポップアップウィンドウ１０に希望する記号を任意に入力し、データに付与することができる。
【００６２】
また、付与された記号はメッセージ本文と異なるように表示され、使用者が容易に識別できるようにする。この表示方法の例を、図７に示す。
【００６３】
図７は本発明の１つの実施形態において記号がメッセージ本文と異なるように画面に表示された状態を示す状態図である。
【００６４】
図７に示すように、リンクを設定した各データに対応するように付与された記号は、メッセージ本文とは異なるように表示され、使用者が記号を容易に識別できるようにする。
【００６５】
例えば、図７（ａ）のように、例えばメッセージ本文が黒色の場合、リンクを設定した各データ（ここではＵＲＬ）の色を青色にして、これに対応するように付与された数字を赤色で表示することで、使用者が記号を容易に区別するようにする。
【００６６】
または、図７（ｂ）のように記号をメッセージ本文の太さと異なる太さで表示することができる。例えば、数字をメッセージ本文より太く表示する。
【００６７】
または、図７（ｃ）のように記号をメッセージ本文の大きさと異なる大きさで表示することができる。例えば、数字をメッセージの大きさより大きく表示する。
【００６８】
なお、ここでは、記号が数字の場合についてのみ説明したが、かかる表示方法は、文字または数字及び文字の組合せで構成される記号の使用時にも、同様に適用される。
【００６９】
また、ここで説明された記号及びメッセージ本文の色と太さ、大きさなどは前述したことに限定されるものではなく、使用者の設定によって任意に決まるものである。
【００７０】
そして、これまで説明したように、記号が付与された各データを含むショートメッセージは表示部１０６の画面に表示される（Ｓ２０６）。
【００７１】
さらに、制御部１１４は送信部１１２を通じてショートメッセージを送信する（Ｓ２０８）。
【００７２】
前述の実施形態では、記号が文字または数字の場合についてのみ説明したが、文字及び数字の組合せであっても良い。例えば、ａ１、ａ２等のように文字及び数字を組合せて記号とすることもできる。
【００７３】
また、リンク設定可能なデータが電話番号、ＵＲＬ及び電子メールアドレスの場合についてだけ説明したが、これらに限定されるものではなく、例えば、リンク管理部１０４は名前などをリンク設定対象として認識することもできる。
【００７４】
但し、名前の場合には該当の名前に対応する電話番号など、リンク先に接続可能な情報が格納部１１０に格納されていなければならない。なお、対応する情報がない場合にはリンク管理部１０４はリンクを設定しない。
【００７５】
また、ここでは入力部１０８がボタン入力の場合についてのみ説明したが、これに限定されるものではなく、音声認識、タッチパッドなどのようなすべての入力装置によって、データに付与する記号を選択することができる。
【００７６】
また、ここではメッセージがショートメッセージである場合についてのみ説明したが、これに限定されるものではなく、前述のように、ＭＭＳ（Ｍｕｌｔｉｍｅｄｉａ Ｍｅｓｓａｇｅ Ｓｅｒｖｉｃｅ）またはＥＭＳ（Ｅｎｈａｎｃｅｄ Ｍｅｓｓａｇｉｎｇ Ｓｅｒｖｉｃｅ）などのようなすべてのメッセージ形式において適用可能である。
【００７７】
また、このようなメッセージは前述のメッセージの他に、例えば、所定のアプリケーションで作成された文書、所定のアプリケーションサーバーから受信して表示されたウェブサイトのページなどであることもある。
<受信側リンク管理方法>
【００７８】
図８は本発明の１つの実施形態による受信側リンク管理方法を順に示すフローチャートである。
【００７９】
図８に示すように、本発明の１つの実施形態による受信側リンク管理方法は、（ａ）リンクが設定された１つ以上のデータを含み、リンクを設定したデータに対応するように所定の記号が付与されたメッセージを受信する段階（Ｓ８０２）、（ｂ）受信されたメッセージを表示する段階（Ｓ８０４〜Ｓ８０８）、（ｃ）表示されたメッセージに含まれる記号のうち何れか１つを選択する段階（Ｓ８１０）及び（ｄ）選択された記号に対応するデータのリンク先に接続する段階（Ｓ８１２）を含む。
【００８０】
先ず、受信部１１２を通じてメッセージを受信すると（Ｓ８０２）、リンク管理部１０４は受信したメッセージにおいてリンク設定及び記号が付与されているかを確認する（Ｓ８０４）。ここで、メッセージにリンクが設定され、記号が付与されている場合には、受信したメッセージをそのまま表示部１０６の画面に表示する（Ｓ８０８）。
【００８１】
一方、受信したメッセージにリンクが設定されておらず、且つ記号が付与されていない場合には、リンク管理部１０４はリンク設定可能なデータを特定すると共にリンクを設定し、リンクを設定した各データに対応するように記号を付与する（Ｓ８０６）。なお、リンクを設定する方法及び記号を付与する方法は送信側リンク管理方法で前述のところと同一なので詳細な説明は省略する。
【００８２】
そして、メッセージのリンク設定可能なデータにリンク設定及び記号を付与すると、メッセージを表示部１０６の画面に表示する（Ｓ８０８）。
【００８３】
さらに、制御部１１４は入力部１０８からいずれかの記号が選択されると、その記号に対応するデータのリンク先に接続する（Ｓ８１２）。ここで、記号を選択するということは、例えば入力部１０８で提供する所定のボタン部を利用して記号に対応するボタンを押すことを言う。
【００８４】
このように、記号が選択され、対応する各データのリンク先に接続する例を図９に示す。
【００８５】
図９は本発明の１つの実施形態において、いずれかの記号が選択され、対応するデータのリンク先に接続することを示す状態図である。
【００８６】
先ず図９（ａ）のように、電話番号である"０１０−１２３４−５６７８"に付与した記号が、入力部１０８を通じて選択される。
【００８７】
そして、記号が選択されると、制御部１１４は対応するデータである電話番号に対応する通話接続プログラムを起動し、送信部１１２を介して通話接続信号を送信する。すなわち、電話番号"０１０−１２３４−５６７８"に自動的にダイヤルする。
【００８８】
また、図９（ｂ）のようにＵＲＬである"ｗｗｗ．ｌｇｅ．ｃｏｍ"に付与した記号が入力部１０８を通じて選択されると、制御部１１４はブラウザを起動し、送信部１１２を介して対応するＵＲＬアドレスで提供されるデータを要求する。すなわち、移動通信端末機は自動的にウェブサイト"ｗｗｗ．ｌｇｅ．ｃｏｍ"に接続する。
【００８９】
また、図９（ｃ）のように電子メールアドレスである"ｃｈｕｌ@ｌｇｅ．ｃｏｍ"に付与した記号が入力部１０８を通じて選択されると、制御部１１４は電子メールソフトを起動し、対応する電子メールアドレスで電子メールを作成して送信することができるように、"電子メール送信"メニューを表示する。そして、電子メールソフトにおいて電子メールの送信が指示されれば、送信部１１２を介して電子メールを送信する。
【００９０】
このように、使用者はリンク管理部１０４がリンクを設定したデータに対応するように付与した記号を入力部１０８を通じて選択することで、選択した記号に対応するデータに設定されたリンク先に、迅速且つ容易に接続することができる。
【００９１】
なお、ここでは本発明を移動通信端末機に適用した例に対してだけ説明したが、ここに限定されるものではなく、リンクが設定されたデータが表示されてこれを選択することでリンク先に接続可能なすべての装置に適用することができる。
【図面の簡単な説明】
【００９２】
【図１】本発明の１つの実施形態による移動通信端末機の構成を示す構成図。
【図２】本発明の１つの実施形態による送信側リンク管理方法を順に示すフローチャート。
【図３】本発明の１つの実施形態においてメッセージに含まれるリンク設定可能なデータにリンクが設定されたことを示す状態図。
【図４】本発明の１つの実施形態において、リンクが設定されたデータの前の位置に記号が付与された画面を示す状態図。
【図５】本発明の他の実施形態において、リンクが設定されたデータの後の位置に記号が付与された画面を示す状態図。
【図６】本発明の１つの実施形態においてポップアップウィンドウが提供された画面を示す状態図。
【図７】本発明の１つの実施形態において記号がメッセージ本文と異なるように表示された画面を示す状態図。
【図８】本発明の１つの実施形態による受信側リンク管理方法を順に示すフローチャート。
【図９】本発明の１つの実施形態において記号が選択され、対応するデータのリンク先に接続されたことを示す状態図。
【符号の説明】
【００９３】
１０２  受信部
１０４  リンク管理部
１０６  表示部
１０８  入力部
１１０  格納部
１１２  送信部
１１４  制御部
【図１】
2007124666.tif 000003
【図２】
2007124666.tif 000004
【図３】
2007124666.tif 000005
【図４】
2007124666.tif 000006
【図５】
2007124666.tif 000007
【図６】
2007124666.tif 000008
【図７】
2007124666.tif 000009
【図８】
2007124666.tif 000010
【図９】
2007124666.tif 000011